(57)【要約】      （修正有）【課題】ペットが緊張して急激に跳び出すことを防止でき、また、ペットに触れやすく、世話をしやすくなる多段式中央開放型天井ペットカートを提供する。【解決手段】多段式中央開放型天井ペットカート１は、カート本体１１、ペット載置かご１２及び中央開放型天井１３を含む。中央開放型天井１３はペット載置かご１２の上部に設けられ、中央開放型天井１３は、２つの多段式回転軸１３１と２つの対称なＵ型硬管１３２を備え、２つの多段式回転軸１３１は、２つの対称なＵ型硬管１３２が当該中央開放型天井１３の中央から相対的且つ多段式に開閉するよう、それぞれペット載置かご１２の上端中央位置に設けられる。【選択図】図２
0003208511.tif 000002
【実用新案登録請求の範囲】
【請求項１】
載置フレームを備えるカート本体、
当該載置フレームに配置されるペット載置かご、及び
当該ペット載置かごの上部に設けられる中央開放型天井を含み、当該中央開放型天井は、２つの多段式回転軸と、当該多段式回転軸に接続される２つの対称なＵ型硬管を備え、２つの多段式回転軸は、２つの対称なＵ型硬管が当該中央開放型天井の中央から相対的且つ多段式に開閉するよう、それぞれ当該ペット載置かごの上端両サイドの中央位置に設けられる多段式中央開放型天井ペットカート。
【請求項２】
当該中央開放型天井の開口箇所には、ファスナーが設けられる請求項１記載の多段式中央開放型天井ペットカート。
【請求項３】
当該中央開放型天井は、上部中央に更に持ち手を有する請求項１記載の多段式中央開放型天井ペットカート。
【請求項４】
当該中央開放型天井の前後両側にはいずれも通気窓が設けられており、且つ当該通気窓の外側には巻き上げ可能なカーテンが設けられる請求項１記載の多段式中央開放型天井ペットカート。
【請求項５】
当該ペット載置かごの前側、後側、左側及び右側には、いずれも通気窓が設けられている請求項１記載の多段式中央開放型天井ペットカート。
【請求項６】
カート本体の載置フレームの下方には、物置ラックが懸架される請求項１記載の多段式中央開放型天井ペットカート。
【考案の詳細な説明】
【技術分野】
【０００１】
本考案はペットカートの技術に関し、特に、中央開放型天井のペット載置かごを有し、中央開放型構造であるだけでなく、構造全体がより強固であり、且つ多段式の速やかな開閉機能を有することで、緊張によるペット載置かごからのペットの飛び出しを回避可能であるとともに、ペット載置かご内のペットを世話しやすく、結果として全体的な実用性と安全性が高められる多段式中央開放型天井ペットカートに関する。
【背景技術】
【０００２】
現代社会ではペット飼育の風潮が広がりつつあり、独身者、既婚世帯、シニア世代の別に拘わらず、生活の潤いを求めてペットを飼育している。また、ペットを持つことで心身の健康が増すとの研究結果もある。よって、愛情溢れる飼い主は、ペットを自身の家族と同様に世話し、ペットを伴って町の散策や散歩、食事をすることで、外出の楽しみを共有しようとすることが多い。
【０００３】
ペットを伴う外出に際しては、ペットに適切な運動をさせるにとどまらず、ペットを地面に降ろせないような公共スペースに入ることもある。このとき、最も手軽で便利な道具がペットカートである。これによれば、飼い主がペットを抱えるための体力的負担が軽減されるほか、ペットも心地良く安心してカートのペット載置かご内に横たわっていられる。よって、ペットが飛び出したり暴れたりする事態が回避されるだけでなく、ペットの粘着物や汚物が付着するといった衛生問題や、他人への干渉も回避可能となる。特に、ペットカートは高齢ペットの世話には不可欠である。このため、ペットカートはすでにペットを伴う外出用の道具として一般的となっている。
【０００４】
しかし、従来のペットカートにおけるペット載置かごの場合、通常は天井が前方又は後方に開閉する構造となっている。よって、天井開放型の設計ではあっても、速やかにペット載置かごを覆えるような硬材及び多段式構造を有していない。結果として、天井の開閉中に、繊細なペット（例えば猫や小型犬）が緊張によりペット載置かごの外に跳び出しやすく、危険である。
【０００５】
そこで、ペットに安心感と安定感を与えるとの特性を有するだけでなく、飼い主がごく短時間のうちに速やかにペット載置かごを閉止可能であり、ペットが緊張により突然跳び出すことによる危険の発生を防止可能であるほか、飼い主がペット載置かご内のペットを世話しやすく、結果として全体的な実用性と安全性を向上可能なペット載置かご構造を創造することを、本考案は積極的に開示する。
【考案の概要】
【考案が解決しようとする課題】
【０００６】
本考案は、多段式中央開放型天井ペットカートであって、主としてペット載置かごに中央開放型天井が設けられ、多段式回転軸とＵ型硬管からなる構造設計を組み合わせることで、ペット載置かごの天井をより強固とするとともに、飼い主がごく短時間のうちに速やかにペット載置かごを閉止可能なため、ペットの緊張による急激な跳び出しに起因する危険の発生を防止可能なほか、多段式開閉設計によって、ペットの頭部を適切に外部に露出可能である一方、半開とされた天井の前後の覆いによって、ペットの安心感と安定感が増し、飼い主がペットにいっそう触れやすく世話しやすい多段式中央開放型天井ペットカートを提供することを目的とする。
【課題を解決するための手段】
【０００７】
上記の目的を達成するために、本考案は、カート本体、ペット載置かご及び中央開放型天井を含む多段式中央開放型天井ペットカートを提供する。カート本体は載置フレームを備え、ペット載置かごは載置フレームに配置される。中央開放型天井はペット載置かごの上部に設けられ、中央開放型天井は、２つの多段式回転軸と、当該多段式回転軸に接続される２つの対称なＵ型硬管を備え、２つの多段式回転軸は、２つの対称なＵ型硬管が中央開放型天井の中央から相対的且つ多段式に開閉するよう、それぞれペット載置かごの上端中央位置に設けられる。
【０００８】
好ましい実施例において、中央開放型天井の開口箇所にはファスナーが設けられ、中央開放型天井は上部中央に更に持ち手を有する。中央開放型天井の前後両側にはいずれも通気窓が設けられており、且つ通気窓の外側には巻き上げ可能なカーテンが設けられる。ペット載置かごの前側、後側、左側及び右側には、いずれも通気窓が設けられている。また、カート本体の載置フレームの下方には、物置ラックが懸架される。
【図面の簡単な説明】
【０００９】
【図１】図１は、本考案の多段式中央開放型天井ペットカートの好ましい実施例における立体構造分解図である。
【図２】図２は、本考案の多段式中央開放型天井ペットカートの好ましい実施例における立体構造組立図である。
【図２Ａ】図２Ａは、図２のＡ部分の拡大図である。
【図３】図３は、本考案の多段式中央開放型天井ペットカートの好ましい実施例における側面図である。
【図４】図４は、本考案の多段式中央開放型天井ペットカートの好ましい実施例における使用状態の参考図（１）である。
【図５】図５は、本考案の多段式中央開放型天井ペットカートの好ましい実施例における使用状態の参考図（２）である。
【図６】図６は、本考案の多段式中央開放型天井ペットカートの好ましい実施例における使用状態の参考図（３）である。
【考案を実施するための形態】
【００１０】
以下に、特定の具体的実施例によって本考案の実施形態を説明するが、当業者であれば、本明細書が開示する内容から、本考案のその他の利点及び効果を容易に理解可能である。
【００１１】
次に、図面を参照して本考案の実施例を説明するが、以下の図面は簡略化した図面であって、模式的に本考案の基本思想を説明するものにすぎない。図面には、本考案に関係する構造のみを例示しており、実際の実施時の部材数、形状及びサイズに基づいて描画したものではない。実際に実施する際には、各部材の形態、数及び比率は図示に限らず、実際の設計に基づいて変更が必要であることを特記しておく。
【００１２】
図１、図２及び図３は、本考案の多段式中央開放型天井ペットカートにおける好ましい実施例の立体構造分解図、立体構造組立図及び側面図を示す。図示するように、本考案の多段式中央開放型天井ペットカート１は、カート本体１１、ペット載置かご１２及び中央開放型天井１３を含む。カート本体１１は載置フレーム１１１を備え、ペット載置かご１２は載置フレーム１１１に配置される。中央開放型天井１３はペット載置かご１２の上部に設けられる。中央開放型天井１３は、２つの多段式回転軸１３１と、多段式回転軸１３１に接続される２つの対称なＵ型硬管１３２を備える。２つの多段式回転軸１３１は、２つの対称なＵ型硬管１３２が中央開放型天井１３の中央から相対的且つ多段式に開閉するよう、それぞれペット載置かご１２の上端両サイドの中央位置に設けられる。
【００１３】
好ましい実施例において、中央開放型天井１３の開口箇所にはファスナー１３３が設けられ、上部中央には更に持ち手１３４が設けられる。中央開放型天井１３の前後両側には、いずれも通気窓１３５が設けられており、且つ通気窓１３５の外側には巻き上げ可能なカーテンが設けられる。ペット載置かご１２の前側、後側、左側及び右側には、いずれも通気窓１２１が設けられている。また、カート本体１の載置フレーム１１１の下方には、物置ラック１１２が懸架される。
【００１４】
上記構造によれば、実際の使用時において、本考案の中央開放型天井１３を図３に示すような閉止状態とできるだけでなく、閉止時に上部のファスナー１３３を引き上げることで、ペット載置かご１２からのペットの跳び出しを確実に回避できる。且つ、中央開放型天井１３の上部に持ち手１３４が設計されているため、飼い主はペット載置かご１２を単独で持ち上げて、任意の場所に置くことができる。また、中央開放型天井１３とペット載置かご１２にはそれぞれ通気窓１３５と通気窓１２１が設けられているため、ペットにとってはペット載置かご１２内の通気性が増し、快適である。
【００１５】
更に、図４、図５及び図６は、本考案の多段式中央開放型天井ペットカートの好ましい実施例における使用状態の参考図（１）、使用状態の参考図（２）及び使用状態の参考図（３）を示す。図示するように、本考案の中央開放型天井１３は、ペット載置かご１２における上部中央の両サイド位置に多段式回転軸１３１を有しており、且つ２つの多段式回転軸１３１が２つのＵ型硬管１３２に接続されている。この構造設計により、中央開放型天井１３の開口は複数の角度で開閉可能となる。図４に示すように、２つのＵ型硬管１３２の夾角が約６０°をなすことで、中央開放型天井１３は６０°の開口をなす。また、図５に示すように、２つのＵ型硬管１３２の夾角は１８０°近くまで開放することも可能であり、これにより中央開放型天井１３はより大きな開口を有することになる。また、図６に示すように、２つのＵ型硬管１３２の夾角が約１８０°をなすとき開口は最大となり、ペット２は容易に頭を開口の外部へ伸出させられる。よって、飼い主は、ペットの世話をしやすいよう必要に応じて中央開放型天井１３の開口サイズを調整できる。更に、２つのＵ型硬管１３２の設計によって、中央開放型天井１３はより強固となる。よって、中央開放型天井１３をいっそう速やかに閉止できることから、繊細なペットがペット載置かご１２の外に容易に飛び出して危険が生じるとの事態が回避される。
【００１６】
従来技術と比較して、本考案における多段式中央開放型天井ペットカートは、中央に位置する多段式回転軸を用いるとともに、Ｕ型硬管の設計を組み合わせることで、中央開放型天井をより強固とし、速やかな開閉を可能としている。また、閉止後にファスナーを引き上げることで、ペットがペット載置かごの外に跳び出して危険が生じることのないよう確実に保証可能である。更に、多段式回転軸の設計によって、中央開放型天井の開口サイズを状況に応じて調整できるため、ペットの頭部を適切に外部へ露出させられる。また、半開とされた天井の前後の覆いによって、ペットの安心感と安定感が増すため、飼い主はよりペットに触れやすく、世話しやすくなる。これより、全体的な実用性、安全性及び安定性を高めることが可能となる。
【００１７】
上記の記載及び図面で本考案の好ましい実施例を開示したが、本考案の好ましい実施例には、添付の登録請求の範囲で規定される本考案における原理の精神及び範囲を逸脱することなく、各種の追加や多くの修正及び置き換えが適用され得るものと解釈すべきである。当業者であれば、本考案を様々な形式、構造、配置、割合、材料、部材及びユニットの修正に適用可能であるものと理解し得る。よって、ここで開示した実施例は本考案を説明するためのものであって、本考案を制限する主旨ではないとみなすべきである。本考案の範囲は添付の登録請求の範囲により規定されるとともに、その合法的な等価物を包括しており、上記記載には限定されない。
【符号の説明】
【００１８】
１  多段式中央開放型天井ペットカート
１１  カート本体
１１１  載置フレーム
１２  ペット載置かご
１２１  通気窓
１３  中央開放型天井
１３１  多段式回転軸
１３２  Ｕ型硬管
１３３  ファスナー
１３４  持ち手
１３５  通気窓
２  ペット
【図１】
0003208511.tif 000003
【図２】
0003208511.tif 000004
【図２Ａ】
0003208511.tif 000005
【図３】
0003208511.tif 000006
【図４】
0003208511.tif 000007
【図５】
0003208511.tif 000008
【図６】
0003208511.tif 000009